(57)【要約】【課題】本発明は、所定のユーザが出会った別のユーザに係る名刺情報と、この他のユーザとの会合日時を、効率的に記録可能な名刺情報管理システムを提供することを課題とする。【解決手段】名刺情報管理システムは、複数の電子名刺交換装置と、電子名刺交換装置と情報交換可能なサーバとを備える。サーバは、個人テーブル４１、知人テーブル４２および会合テーブル４３を記憶したハードディスク４を備える。会合テーブル４３には、電子名刺交換装置から新たな会合日時情報が送信されるたびに、すなわち会合ごとに複数のレコードＡ１１，…が順次追加されて、会合日時情報が記録されるようになっている。【選択図】図２
2008090549.tif 000002
【特許請求の範囲】
【請求項１】
複数の携帯端末と、前記携帯端末と情報交換可能なサーバとを備えた名刺情報管理システムであって、
前記サーバは、
前記携帯端末のユーザのユーザＩＤおよびユーザの名刺情報が記録されたレコードを、前記ユーザごとに備えた個人テーブルと、
所定のユーザに対応する前記個人テーブルのレコードに関連付けられ、かつ、他の携帯端末のユーザであって、前記所定のユーザとは別のユーザのユーザＩＤが少なくとも記録されたレコードを、前記別のユーザごとに備えた知人テーブルと、
前記別のユーザの一人に対応する前記知人テーブルのレコードに関連付けられ、かつ、少なくとも会合日時データが記録されたレコードを、会合ごとに備えた会合テーブルとを記憶した記憶装置と、
前記携帯端末から、新たな会合日時データが送信されてきた場合に、前記会合テーブルのレコードを追加し、このレコードに新たな会合日時データを記録する追加手段とを備え、
前記携帯端末は、
他の携帯端末とユーザＩＤを交換する交換手段と、
ユーザＩＤの交換を行った日時を会合日時データとして取得する日時取得手段と、
ユーザＩＤの交換を条件として、前記サーバに、自己のユーザＩＤと、前記他の携帯端末から受け取った別のユーザのユーザＩＤと、前記会合日時データとを送信する送信手段とを備えたことを特徴とする名刺情報管理システム。
【請求項２】
前記携帯端末は、
ユーザＩＤの交換が行われた自己の位置を検出し、検出した位置を会合場所データとして前記送信手段に出力する位置検出手段を備え、
前記送信手段は、前記サーバに、前記自己のユーザＩＤと、前記別のユーザのユーザＩＤと、前記会合日時データと、前記会合場所データとを送信し、
前記会合テーブルのレコードには、
前記送信手段から送られてくる前記会合場所データが、前記会合日時データとともに記憶されることを特徴とする請求項１に記載の名刺情報管理システム。
【請求項３】
前記知人テーブルのレコード、前記会合テーブルのレコードの少なくとも一方には、ユーザが入力手段を介して入力する別のユーザに関するメモ情報が記憶されることを特徴とする請求項２に記載の名刺情報管理システム。
【発明の詳細な説明】
【技術分野】
【０００１】
本発明は、携帯端末同士の相互通信によって名刺情報を交換可能な名刺情報管理システムに関する。
【背景技術】
【０００２】
従来、名刺情報を交換する装置として、名刺情報に加え、名刺情報を交換した日時も記録することができる電子名刺装置が知られている（特許文献１参照）。
【０００３】
【特許文献１】特開平７−６４９２３号公報（図２）
【発明の開示】
【発明が解決しようとする課題】
【０００４】
このような電子名刺装置は、多くの相手方との会合に利用される。そして、多くの相手方との間で交換された名刺情報、及び、この名刺情報に係る相手方との会合時期は、その交換後利用されることとになるところ、複数の相手方の名刺情報等は、効率的に記録されることが望まれる。
【０００５】
そこで、本発明は、所定のユーザが出会った別のユーザに係る名刺情報と、この他のユーザとの会合日時を、効率的に記録可能な名刺管理システムを提供することを目的とする。
【課題を解決するための手段】
【０００６】
前記課題を解決する本発明は、複数の携帯端末と、前記携帯端末と情報交換可能なサーバとを備えた名刺情報管理システムであって、前記サーバは、前記携帯端末のユーザのユーザＩＤおよびユーザの名刺情報が記録されたレコードを、前記ユーザごとに備えた個人テーブルと、所定のユーザに対応する前記個人テーブルのレコードに関連付けられ、かつ、他の携帯端末のユーザであって、前記所定のユーザとは別のユーザのユーザＩＤが少なくとも記録されたレコードを、前記別のユーザごとに備えた知人テーブルと、前記別のユーザの一人に対応する前記知人テーブルのレコードに関連付けられ、かつ、少なくとも会合日時データが記録されたレコードを、会合ごとに備えた会合テーブルとを記憶した記憶装置と、前記携帯端末から、新たな会合日時データが送信されてきた場合に、前記会合テーブルのレコードを追加し、このレコードに新たな会合日時データを記録する追加手段とを備え、前記携帯端末は、他の携帯端末とユーザＩＤを交換する交換手段と、ユーザＩＤの交換を行った日時を会合日時データとして取得する日時取得手段と、ユーザＩＤの交換を条件として、前記サーバに、自己のユーザＩＤと、前記他の携帯端末から受け取った別のユーザのユーザＩＤと、前記会合日時データとを送信する送信手段とを備えたことを特徴とする。
【０００７】
本発明によれば、所定のユーザのユーザＩＤおよびこのユーザの名刺情報を含むレコード（個人テーブル）に、別のユーザの名刺情報が記録された個人テーブル内のレコードに含まれる別のユーザＩＤ（知人テーブル）を介して、所定のユーザと別のユーザとの複数の会合を示す複数の会合日時データを複数のレコードとして記録可能な会合テーブルを関連付けて記録することが可能である。これにより、所定のユーザが出会った別のユーザに係る名刺情報と、この他のユーザとの会合日時を、効率的に記録できる。
なお、本発明における日時データとは、「年」、「月」、「日」及び「時分」を要素とするものに限らず、例えば、「時分」を要素としない場合も、これに含まれる。
また、「名刺情報」とは、携帯端末のユーザに係る少なくとも一つの情報である。
【０００８】
また、前記携帯端末は、ユーザＩＤの交換が行われた自己の位置を検出し、検出した位置を会合場所データとして前記送信手段に出力する位置検出手段を備え、前記送信手段は、前記サーバに、前記自己のユーザＩＤと、前記別のユーザのユーザＩＤと、前記会合日時データと、前記会合場所データとを送信し、前記会合テーブルのレコードには、前記送信手段から送られてくる前記会合場所データが、前記会合日時データとともに記憶されていてもよい。
【０００９】
これによれば、所定のユーザは、会合場所データを参照することで、別のユーザにどこで会ったのかを知ることができる。
【００１０】
また、前記知人テーブルのレコード、前記会合テーブルのレコードの少なくとも一方には、ユーザが入力手段を介して入力する別のユーザに関するメモ情報が記憶されていてもよい。
【００１１】
これによれば、名刺情報以外の相手に関する情報を記録しておくことができる。特に、知人テーブルの各レコードに記録する場合には、個別の会合とは係わりのない、別のユーザに対する共通的な情報などをコメントとして残しておくことができる。一方、会合テーブルの各レコードに記録する場合には、会合ごとにおける重要なコメントなどを残しておくことができる。また、会合テーブルのレコードは順次追加されていく構造となっているので、別のユーザに関する情報を大量に記録することができる。
【発明の効果】
【００１２】
本発明によれば、所定のユーザが出会った別のユーザに係る名刺情報と、この他のユーザとの会合日時を、効率的に記録可能な名刺管理システムを得ることができる。
【発明を実施するための最良の形態】
【００１３】
次に、本発明の実施形態について、適宜図面を参照しながら詳細に説明する。なお、本実施形態においては、携帯端末の一例として電子名刺交換装置３、位置検出手段の一例としてＧＰＳセンサ３８、記憶装置の一例としてハードディスク４を採用することとする。
【００１４】
＜名刺情報管理システムの構成＞
図１に示すように、名刺情報管理システム１は、サーバ２と、複数の電子名刺交換装置３とで主に構成されている。なお、以下の説明においては、一方の電子名刺交換装置３のユーザを本人Ｍ１と呼び、他方の電子名刺交換装置３のユーザを他人Ｍ２と呼ぶこととする。
【００１５】
＜サーバの構成＞
サーバ２は、ＣＰＵ２１と、各種プログラムが記憶されたメモリ２２と、各種データを記憶するハードディスク４とを主に備えている。なお、このサーバ２には、ＣＰＵ２１、メモリ２２およびハードディスク４の他に、通信機、キーボード、マウス、ディスプレイなど公知の機器が適宜設けられている。
【００１６】
そして、ハードディスク４には、図２に示すように、個人テーブル４１、知人テーブル４２、会合テーブル４３および情報開示レベルテーブル４４が主に記憶されている。なお、以下の説明では、ハードディスク４のデータ構成を先に説明し、後にメモリ２２に記憶されたプログラムを説明することとする。
【００１７】
＜データ構成＞
個人テーブル４１は、電子名刺交換装置３のユーザのユーザＩＤ、ユーザの名刺情報およびユーザに関するメモ情報が記録されたレコード４１Ａ，４１Ｂ，４１Ｃ，…を、ユーザごとに備えている。ここで、ユーザの名刺情報は所定の情報を任意に設定可能であり、本実施形態においては、名前、肩書き、所属会社名、所属部署名、会社所在地、電話番号、e-mailアドレス、顔写真、誕生日、性別（図２の４１Ａ中、「−ｎａｍｅ」〜「−ｓｅｘ」で示す項目。）が名刺情報として設定されている。なお、本実施形態においては、個人テーブル４１のレコード４１Ａに本人Ｍ１のユーザＩＤ（以下、「本人ＩＤ」ともいう。）等が記録され、レコード４１Ｂに他人Ｍ２のユーザＩＤ（以下、「他人ＩＤ」ともいう。）等が記録されていることとする。
【００１８】
知人テーブル４２は、所定のユーザに対応する個人テーブル４１の所定のレコード（例えば、レコード４１Ａ）に関連付けられるように設定されたレコード（例えば、Ａ１，Ａ２，Ａ３，…）を、前記所定のユーザとは別のユーザごとに備えている。すなわち、この知人テーブル４２は、所定のユーザに対する知人が増えるたびに、順次レコードが追加されていく構造となっている。そして、知人テーブル４２の各レコード（例えば、Ａ１，Ａ２，Ａ３，…）には、別のユーザのユーザＩＤと、別のユーザに関するメモ情報が記録される。なお、本実施形態においては、知人テーブル４２のレコードＡ１に、他人Ｍ２の他人ＩＤ等が記録されていることとする。
【００１９】
会合テーブル４３は、知人テーブル４２の中の所定のレコード（例えば、レコードＡ１）に関連付けられるように設定されたレコード（例えば、Ａ１１，Ａ１２，Ａ１３，…）を、会合ごとに複数備えている。すなわち、この会合テーブル４３は、所定のユーザと別のユーザとの間で会合が開かれるたびに、順次レコードが追加されていく構造となっている。そして、会合テーブル４３の各レコードＡ１１，Ａ１２，Ａ１３，…には、会合日時、会合場所、会合の目的および会合に関するメモ情報が記録される。
【００２０】
ここで、前記した個人テーブル４１の各レコード４１Ａ，４１Ｂ，…の情報、知人テーブル４２のメモ情報、会合テーブル４３の会合の目的およびメモ情報は、各ユーザがサーバ２のキーボードなどの所定の入力装置などを操作することによって入力される構成とすることも可能であるが、電子名刺交換装置３のユーザが、サーバ２とデータ通信可能に接続され、キーボードなどの所定の入力装置を備える装置（例えば、パーソナルコンピュータ。）を介して、所定の情報を入力し、これをサーバ２に送信することで、各テーブルに記録される構成を採用することもできる。なお、後者の構成を採用する場合、所定の情報を登録するのに適切なユーザであることを、事前に認証するシステムを採用することが好適である。
【００２１】
また、知人テーブル４２への他人ＩＤの記録は、本人Ｍ１の電子名刺交換装置３からサーバ２に送られてくる他人ＩＤをサーバ２が受信したことを条件として、サーバ２のＣＰＵ２１によって適宜実行される。さらに、会合日時および会合場所は、電子名刺交換装置３からサーバ２に送られてくる会合日時データおよび会合場所データ（後で詳述）をサーバ２が受信したことを条件として、サーバ２のＣＰＵ２１によって適宜記録される。
【００２２】
情報開示レベルテーブル４４には、後で詳述するアクセスＩＤと情報開示レベルが記録されるレコード４４Ａ，４４Ｂ，４４Ｃ，…を複数備えている。すなわち、この情報開示レベルテーブル４４は、電子名刺交換装置３から送信されるアクセスＩＤおよび情報開示レベルをサーバ２が受信するたびに、順次レコードが追加されていく構造となっている。
【００２３】
＜各種プログラム＞
以下に、メモリ２２に記憶された各種プログラムについて詳細に説明する。なお、以下に示すプログラム以外にも、メモリ２２は様々なプログラムが組まれており、これにより、ＣＰＵ２１は、公知のサーバが備える機能をも実現する。
【００２４】
［開示範囲記憶プログラム］
開示範囲記憶プログラムは、一の電子名刺交換装置３から後で詳述するアクセスＩＤおよび情報開示レベル（開示範囲を示す情報）を受信したことを条件として、これらの情報を関連づけてハードディスク４に記憶させるプログラムである。具体的に、このプログラムを読み込んだＣＰＵ２１は、一の電子名刺交換装置３からアクセスＩＤおよび情報開示レベルを図示せぬ通信機で受信したことを条件として、情報開示レベルテーブル４４にレコードを追加し、このレコードに前記情報を関連付けて記憶させる。
【００２５】
［会合データ追加プログラム］
会合データ追加プログラムは、電子名刺交換装置３から、新たな会合日時データおよび会合場所データが送信されてきた場合に、会合テーブル４３のレコードを追加し、このレコードに新たな会合日時データおよび会合場所データを記録するためのプログラムである。具体的に、このプログラムを読み込んだＣＰＵ２１は、所定のユーザの電子名刺交換装置３から所定のユーザのユーザＩＤや別のユーザのユーザＩＤ等の各種情報を図示せぬ通信機で受信したことを条件として、個人テーブル４１の各レコード内に所定のユーザのユーザＩＤが存在するか否かを判断する。ＣＰＵ２１は、存在すると判断した場合には、そのレコードに対応する知人テーブル４２の各レコード内に別のユーザのユーザＩＤが存在するか否かを判断する。そして、このＣＰＵ２１は、知人テーブル４２の各レコード内に別のユーザのユーザＩＤが存在すると判断した場合に、既に存在する会合テーブル４３のレコードを追加して、このレコード内に新たな会合日時データおよび会合場所データを記録する。ここで、この会合データ追加プログラムおよびＣＰＵ２１は、追加手段の一例に相当する。
【００２６】
［知人確認プログラム］
知人確認プログラムは、所定のユーザの電子名刺交換装置３から送られてくる別のユーザのユーザＩＤの受信を条件として、知人テーブル４２内に別のユーザのユーザＩＤが存在するかを確認するプログラムである。具体的に、このプログラムを読み込んだＣＰＵ２１は、所定のユーザの電子名刺交換装置３から別のユーザのユーザＩＤを図示せぬ通信機で受信したことを条件として、所定のユーザに対応した個人テーブル４１に関連付けられた知人テーブル４２内から別のユーザのユーザＩＤを検索する。
【００２７】
［知人情報検索プログラム］
知人情報検索プログラムは、前記した知人確認プログラムによって検索（確認）される別のユーザのユーザＩＤの存在を条件として、その別のユーザのユーザＩＤに対応するレコードを個人テーブル４１内から検索するプログラムである。具体的に、このプログラムを読み込んだＣＰＵ２１は、知人確認プログラムの検索結果に基づいて別のユーザのユーザＩＤが存在するか否かを判断し、別のユーザのユーザＩＤが存在すると判断した場合に、別のユーザのユーザＩＤが記録されている個人テーブル４１のレコードを検索する。
【００２８】
［詳細情報送信プログラム］
詳細情報送信プログラムは、知人情報検索プログラムによって個人テーブル４１から検索される別のユーザに関するレコードの存在を条件として、このレコード内の情報と、所定のユーザに対応した個人テーブル４１に関連付けられた別のユーザに係る会合テーブル４３内の情報を、所定のユーザの電子名刺交換装置３に送信するプログラムである。また、この詳細情報送信プログラムは、例えば所定のユーザの電子名刺交換装置３とは別のユーザの電子名刺交換装置３から所定のユーザの名刺情報の要求があった場合に、名刺情報を情報開示レベルに基づいて適宜制限して他の電子名刺交換装置３に送信するプログラムでもある。
【００２９】
具体的に、このプログラムを読み込んだＣＰＵ２１は、知人情報検索プログラムの検索結果に基づいて個人テーブル４１内に別のユーザのレコードが存在するか否かを判断する。そして、ＣＰＵ２１は、別のユーザのレコードが存在すると判断した場合には、そのレコード内の情報と、所定のユーザに対応した個人テーブル４１に関連付けられた別のユーザに係る会合テーブル４３の各レコード内の情報とを、図示せぬ送信機を介して所定のユーザの電子名刺交換装置３に送信する。なお、この詳細情報送信プログラムによって、所定のユーザに対応した個人テーブル４１に関連付けられた別のユーザに係る知人テーブル４２のメモ情報を、上記情報とともに送信する構成を採用してもよい。また、ＣＰＵ２１は、例えば所定のユーザとは別のユーザの電子名刺交換装置３から送信されたアクセスＩＤを基にして、ハードディスク４の情報開示レベルテーブル４４から情報開示レベルを取得する。その後、ＣＰＵ２１は、所定のユーザのユーザＩＤを基にして所定のユーザの名刺情報を個人テーブル４１の中から情報開示レベルに応じた分だけ取得し、取得した名刺情報を別のユーザの電子名刺交換装置３へ送信する。
【００３０】
＜電子名刺交換装置の構成＞
図３に示すように、電子名刺交換装置３は、ＣＰＵ３１、ＲＯＭ３２、ＲＡＭ３３、不揮発性ＲＡＭ３４、右表示部３５、左表示部３６、ＲＴＣ３７、ＧＰＳセンサ３８、第１無線機３９、第２無線機（Bluetooth：登録商標）５０、赤外線センサ５１、加速度センサ５２、ＲＦリーダ５３、明度センサ５４を備えている。
【００３１】
ＣＰＵ３１は、ＲＯＭ３２に記憶されている複数のプログラムに基づいて各種機器を制御している。
【００３２】
ＲＯＭ３２は、書き込み不能なメモリ（Read  Only  Memory）であり、その中には、その電子名刺交換装置３に固有のユーザＩＤ（本人ＩＤ）と、後で詳細に説明するフローチャートを実現する複数のプログラムとが主に記憶されている。なお、各プログラムの詳細については、各ハードウェアの説明をした後に述べることとする。
【００３３】
ＲＡＭ３３は、書き込み可能なメモリ（Random  Access  Memory）であり、その中には、主に後記する動作情報などが一時的に記憶される。
【００３４】
不揮発性ＲＡＭ３４は、電力供給が行われない状態であっても、書き込まれたデータを保持する半導体メモリであり、その中には、主に後記する他人ＩＤ、会合日時データ、会合場所データ、セキュリティロックを解除するための暗号情報などが記憶される。特に、この不揮発性ＲＡＭ３４には、サーバ２との通信が不能な場合に、他人ＩＤと、この他人ＩＤを受信したときの会合日時データ及び会合場所データとを各人ごとに記録しておくテンポラリ知人テーブルと、後で詳述するアクセスＩＤおよび情報開示レベルを各人ごとに記録しておくテンポラリ情報開示テーブルが記憶されている。また、この不揮発性ＲＡＭ３４には、互いに異なる複数のイメージ情報の一例としての大小の異なる星画像が記憶されている。
【００３５】
右表示部３５は、電子名刺交換装置３の右側に配置されて所定の映像を表示する装置である。具体的に、この右表示部３５は、ＣＰＵ３１に適宜制御されることによって、ＲＡＭ３３に一時的に記憶する他人の情報のうちの一部を表示し、または、残りの詳細情報を表示する。
【００３６】
左表示部３６は、電子名刺交換装置３の左側に配置されて所定の映像を表示する装置である。具体的に、この左表示部３６は、ＣＰＵ３１に適宜制御されることによって、ＲＴＣ３７に基づいて算出される年月日、時間、曜日などを表示し、または、不揮発性ＲＡＭ３４に記憶したイメージ情報をイメージ映像として表示する。
【００３７】
ＲＴＣ３７は、現実の時間を計時することが可能な計時手段（Real  Time  Clock）である。ＧＰＳセンサ３８は、ＧＰＳ（Global  Positioning  System）に使用される位置検出用のセンサである。
【００３８】
第１無線機３９は、サーバ２との相互通信が可能な無線機であり、これによりサーバ２との情報交換が可能となっている。また、第２無線機５０は、所定の距離まで近づいた他の電子名刺交換装置３と短距離通信が可能な無線機である。
【００３９】
赤外線センサ５１は、電子名刺交換装置３と、この電子名刺交換装置３を手に持ったユーザとの距離を計測するためのセンサである。なお、距離を計測可能な赤外線センサの一例を挙げると、例えば、ＰＳＤ（ポジショニング・センシング・ディテクター）という赤外線検知手段が内蔵されたものがある。この赤外線センサでは、測定対象物との距離が変わると赤外線の反射角度が変わり、さらにはＰＳＤで赤外線が検知される場所が変わるといった現象を利用して距離が計測される。
【００４０】
加速度センサ５２は、電子名刺交換装置３に加わる加速度を検出するセンサであり、例えば圧電セラミックスを使用したものなどを利用できる。また、ＲＦリーダ５３は、ＲＦＩＤ（Radio  Frequency  Identification）に記録されたデータを読み取る装置である。
【００４１】
明度センサ５４は、周囲環境の明るさを検出するセンサであり、例えばフォトトランジスタなどを利用できる。
【００４２】
＜各種プログラム＞
以下に、ＲＯＭ３２に記憶された各種プログラムについて詳細に説明する。なお、以下に示すプログラム以外にも、ＲＯＭ３２は様々なプログラムが組まれており、これにより、ＣＰＵ３１が後述するフローチャートに従って動作するようになっている。
【００４３】
［ＩＤ交換プログラム］
ＩＤ交換プログラムは、加速度センサ５２で検出した加速度と、明度センサ５４で検出した明るさとが所定の条件を満たしたことを条件として、他の電子名刺交換装置３とユーザＩＤを交換するためのプログラムである。具体的に、このプログラムを読み込んだＣＰＵ３１は、加速度センサ５２からの検出値と、明度センサ５４からの検出値と、ＲＯＭ３２に記憶している所定の条件とをそれぞれ比較する。その後、ＣＰＵ３１は、各検出値が所定の条件を満たしていると判断した場合に、第２無線機５０を通信可能な状態にして、ＲＯＭ３２に記憶している本人ＩＤを第２無線機５０に出力するとともに、他の電子名刺交換装置３から送信される他人ＩＤおよびアクセスＩＤを受信する。ここで、このＩＤ交換プログラムおよびＣＰＵ３１が、ＩＤ受信手段の一例に相当する。なお、上記において、本人ＩＤの第２無線機５０への出力は、後述するアクセスＩＤ送信プログラムによって実行される。具体的には、このＩＤ交換プログラムを読み込んでいるＣＰＵ３１は、本人ＩＤを第２無線機５０に出力する際には、後述するアクセスＩＤ送信プログラムを読み込んで、この本人ＩＤとともにアクセスＩＤを第２無線機５０に出力する。ここで、このＩＤ交換プログラム、ＣＰＵ３１および第２無線機５０は、交換手段の一例に相当する。
【００４４】
［日時取得プログラム］
日時取得プログラムは、ユーザＩＤの交換を行った日時を会合日時データとして取得するためのプログラムである。具体的に、このプログラムを読み込んだＣＰＵ３１は、第２無線機５０で他人ＩＤを受信したときに、ＲＴＣ３７の数値を会合日時データとして取得する。ここで、この日時取得プログラム、ＣＰＵ３１およびＲＴＣ３７が、日時取得手段の一例に相当する。
【００４５】
［会合データ送信プログラム］
会合データ送信プログラムは、ユーザＩＤの交換がなされたことを条件として、サーバ２に、本人ＩＤ、他人ＩＤ、会合日時データおよび会合場所データを送信するプログラムである。具体的に、このプログラムを読み込んだＣＰＵ３１は、第２無線機５０で他人ＩＤを受信したことを条件として、この他人ＩＤと、ＲＯＭ３２内の本人ＩＤと、ＲＴＣ３７から取得した会合日時データと、ＧＰＳセンサ３８から取得した位置データ（会合場所データ）とを第１無線機３９に出力する。
【００４６】
また、ＣＰＵ３１は、サーバ２との通信が不能な場合には、他人ＩＤ、会合日時データおよび会合場所データを、不揮発性ＲＡＭ３４に一時的に記録した後、所定条件を満たしたときに不揮発性ＲＡＭ３４から第１無線機３９に前記他人ＩＤ等を出力し、ＲＯＭ３２から第１無線機３９に本人ＩＤを出力する。ここで、この会合データ送信プログラム、ＣＰＵ３１および第１無線機３９が、送信手段の一例に相当する。また、この会合データ送信プログラム、ＣＰＵ３１およびＧＰＳセンサ３８が、位置検出手段の一例に相当する。
【００４７】
［セキュリティロック動作登録プログラム］
セキュリティロック動作登録プログラムは、加速度センサ５２で検出した加速度に基づいて、電子名刺交換装置３の位置と、この位置に到達した時間との組を複数組算出し、算出した複数組の位置・到達時間を不揮発性ＲＡＭ３４に記憶させるプログラムである。ここで、「位置」とは、セキュリティロック動作登録プログラムが開始されたときの電子名刺交換装置３の位置を原点としたときの、この原点からの位置をいう。つまり、電子名刺交換装置３の動きにより描かれる軌跡上の複数の点を、原点位置からの位置と、到達時間とによって特定している。
【００４８】
具体的に、このプログラムを読み込んだＣＰＵ３１は、加速度センサ５２で検出した加速度を取得するとともに、ＲＴＣ３７から時間を取得する。そして、このＣＰＵ３１は、取得した加速度および時間に基づいて位置・到達時間を算出した後、この位置・到達時間を不揮発性ＲＡＭ３４に暗号情報として記憶させている。
【００４９】
［セキュリティロックプログラム］
セキュリティロックプログラムは、所定の条件が満たされると、電子名刺交換装置３の操作を禁止するプログラムである。ここで、所定の条件としては、例えばセキュリティロック動作が登録されたことや、一定時間無動作であることや、電子名刺交換装置３を所定の動きで動かすことや、所定のボタンを押下することなどが挙げられる。具体的に、このプログラムを読み込んだＣＰＵ３１は、所定の条件が満たされたか否かを判断し、満たされていると判断した場合には、その他の動作を行わないようになっている。
【００５０】
［セキュリティロック解除プログラム］
セキュリティロック解除プログラムは、加速度センサ５２で検出した加速度に基づいて、電子名刺交換装置３の位置と、この位置に到達した時間との組を複数組算出し、その各算出値と、不揮発性ＲＡＭ３４に記憶されている暗号情報とが一致したときに電子名刺交換装置３の操作の禁止を解除するプログラムである。また、セキュリティロック解除プログラムでは、算出値と暗号情報との比較の際に、算出した所定の到達時間に対応する位置が、暗号情報として記憶された所定の到達時間に対応する位置から所定の距離内である場合には、一致したと判断するようになっている。
【００５１】
具体的に、このプログラムを読み込んだＣＰＵ３１は、加速度センサ５２で検出した加速度を取得するとともに、ＲＴＣ３７から時間を取得する。そして、このＣＰＵ３１は、取得した加速度および時間に基づいて位置・到達時間を算出した後、その算出値を不揮発性ＲＡＭ３４に記憶されている暗号情報と比較する。このとき、ＣＰＵ３１は、不揮発性ＲＡＭ３４に予め記憶されている距離情報を取得する。その後、ＣＰＵ３１は、算出した所定の到達時間に対応した位置が、不揮発性ＲＡＭ３４に記憶されている所定の到達時間に対応した位置から所定の距離内にあるか否かを判断する。そして、ＣＰＵ３１は、所定の距離内にあると判断した場合には、電子名刺交換装置３の操作の禁止を解除し、所定の距離内にないと判断した場合には、操作の禁止を維持する。
【００５２】
［握手判別プログラム］
握手判別プログラムは、加速度センサ５２で検出した加速度に基づいて電子名刺交換装置３を上下に振った回数を判別することで、握手の回数を判別するプログラムである。具体的に、このプログラムを読み込んだＣＰＵ３１は、加速度センサ５２で検出した加速度を取得し、例えば加速度の方向が鉛直方向の下から上へ切り替わった回数をカウントすることで握手の回数を判別している。そして、このＣＰＵ３１は、判別した握手の回数をＲＡＭ３３に出力して一時的に記憶させる。
【００５３】
［情報開示範囲選択プログラム］
情報開示範囲選択プログラムは、例えば本人Ｍ１の名刺情報を教えるための本人ＩＤを、本人Ｍ１の電子名刺交換装置３から他人Ｍ２の電子名刺交換装置３へ送信するときに、本人Ｍ１の咄嗟の判断により名刺情報の開示範囲を選択することを可能とするプログラムである。具体的に、このプログラムを読み込んだＣＰＵ３１は、まず、ＲＡＭ３３に握手の回数が記憶されているか否かを判断し、回数が１回でも記憶されている場合には、情報開示レベルを選択する。そして、ＣＰＵ３１は、握手の回数が１回であると判断したときには、情報開示レベルを「低」とし、２回であると判断したときには、情報開示レベルを「中」とし、３回であると判断したときには、情報開示レベルを「高」とする。すなわち、このＣＰＵ３１は、握手の回数が多い程、情報開示範囲を広くしている。
【００５４】
［アクセスＩＤ送信プログラム］
アクセスＩＤ送信プログラムは、ユーザＩＤを交換する際（例えば、他人ＩＤおよびアクセスＩＤを取得したとき）に情報開示レベルに関連したアクセスＩＤを本人ＩＤとともに他人Ｍ２の電子名刺交換装置３へ送信するプログラムである。具体的に、このプログラムを読み込んだＣＰＵ３１は、情報開示レベルの選択をした後、この情報開示レベルに関連したアクセスＩＤを作り出すと、ＲＯＭ３２から本人ＩＤを取得して、この本人ＩＤとアクセスＩＤとを第２無線機５０に出力する。ここで、アクセスＩＤは、例えば、ＲＴＣ３７からの時間情報に基づいて生成されるユニークなものであり、情報開示レベルに対応付けられ、所定のユーザがサーバ２にアクセスして、別のユーザの個人テーブル４１の情報を参照するときに必要なＩＤである。
【００５５】
［開示依頼プログラム］
開示依頼プログラムは、自装置で作成したアクセスＩＤと情報開示レベルとをサーバ２へ送信するプログラムである。具体的に、このプログラムを読み込んだＣＰＵ３１は、情報開示レベルが選択され、かつ、アクセスＩＤを生成したことを条件として、これらのアクセスＩＤおよび情報開示レベルを第１無線機３９に出力する。
【００５６】
［名刺情報要求プログラム］
名刺情報要求プログラムは、所定のユーザから受信したユーザＩＤとアクセスＩＤを、サーバ２に送信することで所定のユーザの名刺情報を要求するプログラムである。具体的に、このプログラムを読み込んだＣＰＵ３１は、他の電子名刺交換装置３からユーザＩＤとアクセスＩＤを受信したことを条件として、そのユーザＩＤとアクセスＩＤを第１無線機３９に出力する。
【００５７】
［すくい動作判別プログラム］
すくい動作判別プログラムは、加速度センサ５２で検出した加速度に基づいて、電子名刺交換装置３の左表示部３６によって左表示部３６に表示されている星映像をすくう動作が行われたか否かを判別するプログラムである。具体的に、このプログラムを読み込んだＣＰＵ３１は、加速度センサ５２で検出した加速度を取得し、この加速度に基づいてすくう動作が行われたか否かを判別している。
【００５８】
［表示可変プログラム］
表示可変プログラムは、赤外線センサ５１によって検出した距離情報に応じて、サーバ２から系列情報を構成する一情報を読み出し、右表示部３５に出力するプログラムである。また、この表示可変プログラムは、距離情報が大きくなるほど、過去の時間に対応する系列情報をサーバ２から取得して右表示部３５に出力するように構成されている。さらに、この表示可変プログラムは、右表示部３５へ出力する系列情報の各情報に対応させるように星画像を、左表示部３６に出力するように構成されている。また、この表示可変プログラムは、すくい動作判別プログラムによってすくう動作が行われたと判別されたことを条件として、右表示部３５に系列情報の各情報に対応する詳細情報を表示させるように構成されている。
【００５９】
具体的に、このプログラムを読み込んだＣＰＵ３１は、赤外線センサ５１から距離情報を取得するとともに、取得した距離情報やその取得時間情報をＲＡＭ３３の所定の記憶領域に随時前回値、今回値として更新しつつ記憶させる。また、ＣＰＵ３１は、ＲＯＭ３２に予め記憶してある所定の演算式と、ＲＡＭ３３に記憶させた距離情報・取得時間情報とを取得し、これらに基づいて演算を行うことで、所定の検索パラメータを算出する。そして、ＣＰＵ３１は、この検索パラメータと、サーバ２のハードディスク４に記憶してある系列情報の各情報とを比較して、検索パラメータに最も近い値となる情報を系列情報の中から抜き出して、右表示部３５に出力して表示させる。
【００６０】
さらに、ＣＰＵ３１は、検索パラメータと系列情報の各情報との差を算出し、このように算出した複数の差データに対応する星映像を不揮発性ＲＡＭ３４の中から選択して、左表示部３６に出力して表示させる。より具体的には、差が小さいもの程、大きな星映像を選択するようになっている。また、ＣＰＵ３１は、すくい動作判別プログラムの判別結果がすくう動作を行ったことを示す場合には、サーバ２のハードディスク４に記憶させてある系列情報の各情報の詳細情報を、右表示部３５に出力して表示させる。
【００６１】
［表示変更停止プログラム］
表示変更停止プログラムは、電子名刺交換装置３に対してなされた入力に基づいて、表示可変プログラムにより表示されている系列情報の変更を停止するプログラムである。具体的に、このプログラムを読み込んだＣＰＵ３１は、加速度センサ５２で検出した加速度を取得し、例えば加速度の方向が鉛直方向の下から上へ切り替わったか否かを判断することで、表示変更を停止させるための停止命令が出されたか否かを判断している。そして、ＣＰＵ３１は、停止命令が出されたと判断した場合には、表示可変プログラムの実行を禁止して、各表示部３５，３６の画像を現在の映像に固定させる。
【００６２】
［表示変更再開プログラム］
表示変更再開プログラムは、電子名刺交換装置３に対してなされた入力に基づいて、表示可変プログラムにより表示される系列情報の変更を再開するプログラムである。具体的に、このプログラムを読み込んだＣＰＵ３１は、加速度センサ５２で検出した加速度を取得し、例えば加速度の変化が、電子名刺交換装置３の左表示部３６を上向きから下向きに変えるような動作に対応した変化である場合に、表示変更停止プログラムを止めて、表示可変プログラムを再開させる。
【００６３】
［詳細表示プログラム］
詳細表示プログラムは、サーバ２から送られてきた個人テーブル４１、知人テーブル４２および会合テーブル４３内の情報を表示するプログラムである。具体的に、このプログラムを読み込んだＣＰＵ３１は、第１無線機３９で受信した各情報に基づいて、画像データを生成し、このデータを右表示部３５に出力して表示させる。
【００６４】
［キャリブレーションプログラム］
キャリブレーションプログラムは、ユーザの腕の長さと系列情報の量との調整を行うプログラムである。具体的に、このプログラムを読み込んだＣＰＵ３１は、サーバ２のハードディスク４から会合日時データのうち最古の会合日時データを検索して取得し、ＲＴＣ３７から現在時刻を取得して、最古の会合日時データの日時と現在時刻との差を算出する。また、ＣＰＵ３１は、赤外線センサ５１で計測した現在の距離情報と予め設定している距離情報の最小値との差を算出する。そして、ＣＰＵ３１は、算出した時刻の差に、算出した距離の差を除算して換算係数を算出し、この換算係数を用いてユーザの腕の長さと系列情報の量との調整を行う。
【００６５】
次に、名刺情報管理システム１における電子名刺交換装置３のＣＰＵ３１の動作について説明する。
通常時においては、ＣＰＵ３１は、図５に示すようなメインフローに従って、各種機器を制御している。以下に、このメインフローの説明を行う。
【００６６】
［メインフロー］
図５に示すように、メインフローにおいては、まず、セキュリティロックがかかっているか否かが判断される（ステップＳ１）。なお、このセキュリティロックに必要な暗号情報としては、後で詳述するような電子名刺交換装置３の動きを示す動作情報が採用されている。
【００６７】
ステップＳ１において、セキュリティロックがかかっていると判断された場合には、本人Ｍ１が電子名刺交換装置３を持ちながら所定の動作を行うことで、その動作に伴って電子名刺交換装置３に加わる加速度が加速度センサ５２により検出される（ステップＳ２）。ここで、所定の動作としては、例えば手で把持している電子名刺交換装置３を、把持した状態で１回転させる動作などを行えばよい。なお、セキュリティロック登録モード（ステップＳ１８）が適切に実行されている場合、ステップＳ１の判断は肯定されることとなる（ステップＳ１：Ｙｅｓ）。これに対し、例えば、セキュリティロック登録モード（ステップＳ１８）が、未実施である場合の他、セキュリティロック登録モード（ステップＳ１８）は適正に実行されているものの、電子名刺交換装置３に対してなされる所定の動作に基づき、セキュリティロック機能がオフに設定されている場合、ステップＳ１において、その判断が否定（ステップＳ１：Ｎｏ）される。
【００６８】
ステップＳ２において動作（位置・到達時間）が確認されると、この動作が、不揮発性ＲＡＭ３４に既に記憶されている動作（位置・到達時間）と比較され、各動作が一致するか否かが判断される（ステップＳ３）。なお、この判断時においては、前記したように不揮発性ＲＡＭ３４に既に記憶されている動作と、今回検出した動作との間に所定の誤差があっても、一致したと判断される。そして、このステップＳ３において、一致していないと判断された場合には、再度ステップＳ２，Ｓ３を繰り返すこととなる。
【００６９】
ステップＳ３において一致したと判断されると、ＲＴＣ３７からの時間情報に基づいて時間の計測が開始された後（ステップＳ４）、図４（ａ）に示すように、左表示部３６に年月日、曜日および時間が表示される（ステップＳ５）。次に、ＲＦリーダ５３から電波を発生させることによって（ステップＳ６）、ＲＦリーダ５３の近傍にあるＲＦＩＤから返信があるか否かが判断される（ステップＳ７）。
【００７０】
ステップＳ７において、ＲＦＩＤから返信があったと判断された場合には、名刺登録モードに移行する（ステップＳ８）。ここで、名刺登録モードとは、会合した相手方が電子名刺交換装置３を有していないものの、名刺情報を含むＲＦＩＤ付きの名刺（紙ベース）を有している場合において実行される処理である。具体的には、会合の際、この相手方からＲＦＩＤ付きの名刺を渡された場合、電子名刺交換装置３のＲＦリーダ５３を介し、このＲＦＩＤ付きの名刺から返信がなされた場合に（ステップ７：Ｙｅｓ）、実行される（詳細は、図６を用いて後述する。）。
【００７１】
また、ステップＳ７において、ＲＦＩＤから返信がなかったと判断された場合には、加速度センサ５２による動作の検出（確認）が行われる（ステップＳ９）。その後、このような動作の検出がなされたか否かが判断されることで、無動作であったか否かが判断される（ステップＳ１０）。
【００７２】
ステップＳ１０において、無動作であると判断された場合には、テンポラリテーブルアップデートモードに移行する（ステップＳ１１）。また、このテンポラリテーブルアップデートモードを抜けた後は、ステップ４で計測を開始した時間が、所定時間となったか否かが判断されることで、タイムアウトになったか否かが判断される（ステップＳ１２）。そして、ステップＳ１２において、タイムアウトになったと判断された場合には、ステップＳ１に戻り、タイムアウトになっていないと判断された場合には、ステップＳ５に戻る。
【００７３】
ステップＳ１０において、無動作でないと判断された場合には、ステップＳ１３に進んで、ステップＳ９で検出された動作が、握手動作であるか否かが判断される。そして、このステップＳ１３において、握手動作であると判断された場合には、握手モードに移行し（ステップＳ１４）、握手動作ではないと判断された場合には、ステップＳ１５に進む。
【００７４】
ステップＳ１５では、ステップＳ９で検出された動作が、データ閲覧モードを開始するための動作（以下、「閲覧開始動作」という。）であるか否かが判断される。ここで、閲覧開始動作としては、例えば、電子名刺交換装置３のユーザが電子名刺交換装置３に軽度の衝撃を加える（テーブル等にぶつける等）動作などを採用できる。そして、このステップＳ１５において、閲覧開始動作であると判断された場合には、データ閲覧モードに移行し（ステップＳ１６）、閲覧開始動作ではないと判断された場合には、ステップＳ１７に進む。
【００７５】
ステップＳ１７では、ステップＳ９で検出された動作が、セキュリティロックのための暗号情報を登録するための動作（以下、「登録動作」という。）であるか否かが判断される。ここで、登録動作としては、例えば、鍵をかけるような動作（電子名刺交換装置３を時計周りに半周回す動作）などを採用できる。そして、このステップＳ１７において、登録動作であると判断された場合には、セキュリティロック登録モードに移行し（ステップＳ１８）、登録動作ではないと判断された場合には、ステップＳ４に戻る。なお、名刺登録モードＳ８、握手モードＳ１４、データ閲覧モードＳ１６およびセキュリティロック登録モードＳ１８を抜けた後も、ステップＳ４に戻る。
【００７６】
［名刺登録モード］
図６に示すように、名刺登録モードにおいては、まず、ＲＦリーダ５３で受信したデータが他人ＩＤを含む名刺情報か否かが判断される（ステップＳ２１）。このステップＳ２１において、名刺情報でないと判断された場合には、そのまま終了し、名刺情報であると判断された場合には、ステップＳ２２に進む。
【００７７】
ステップＳ２２では、サーバ２との通信が可能か否かが判断される。そして、このステップＳ２２において、通信不能と判断された場合には、受信した他人ＩＤと、生成した会合日時データ及び会合場所データとが不揮発性ＲＡＭ３４のテンポラリ知人テーブルに追加された後（ステップＳ２３）、右表示部３５に「インターネットに接続できません」というメッセージが表示される（ステップＳ２４）。
【００７８】
また、ステップＳ２２において、通信可能であると判断された場合には、受信した他人ＩＤが既にサーバ２のデータベース上の知人テーブル４２にあるか否かが判断される（ステップＳ２５）。このステップＳ２５において、知人テーブル４２に他人ＩＤがないと判断された場合には、ステップＳ２６に進む。ここで、他人ＩＤが知人テーブル４２にあるか否かの直接的判断（ステップＳ２５参照。）は、サーバ２のＣＰＵ２１によって行われるところ、この判断は、ステップＳ２２の判断が肯定されたことを条件として、電子名刺交換装置３からサーバ２に送信される本人ＩＤ及び他人ＩＤに基づき行われる。すなわち、本人ＩＤにより特定される個人テーブル４１内のレコードに関連付けられた知人テーブル４２に、他人ＩＤを含むレコードが存在するか否かによって行われる。なお、上記本人ＩＤ及び他人ＩＤとともに、アクセスＩＤも送信される。
【００７９】
ステップＳ２６では、本人Ｍ１の個人テーブル４１に関連して既に設定されている知人テーブル４２に新たなレコードが追加されるとともに、このレコードに関連するように新たな会合テーブル４３が作成される。そして、知人テーブル４２の新たなレコードに、他人ＩＤが記録されるとともに、新たな会合テーブル４３に、ＲＴＣ３７とＧＰＳセンサ３８からの情報に基づいて生成される会合データ（日時、場所）が、最初のレコードとして記録される。また、他人ＩＤと一致する個人テーブルが検索され、この個人テーブルから他人Ｍ２の個人情報が取得される。ここで、この他人Ｍ２の個人情報は、ステップＳ２５の判断に際し、本人ＩＤ及び他人ＩＤとともに送信されるアクセスＩＤによって特定される情報開示レベルテーブル４４の情報開示レベル（この情報開示レベルは、他人Ｍ２の電子名刺交換装置３で適宜設定される。）によって、所定の開示範囲に制限されている。具体的には、例えば、情報開示レベルが「大」であれば、個人テーブル４１から他人Ｍ２の個人情報（名刺情報）として記録されている情報の総てをサーバ２から本人Ｍ１の電子名刺交換装置３に送信する。また、情報開示レベルが「中」であれば、「−ｎａｍｅ」、「−ｔｉｔｌｅ」、「−ｏｒｇａｎｉｚａｔｉｏｎ」、「−ｏｒｇａｎｉｚａｔｉｏｎ  ｕｎｉｔ」、「−ａｄｄｒｅｓｓ」「−ｐｈｏｎｅ」、「−ｅ−ｍａｉｌ」を送信し、情報開示レベルが「小」であれば、「中」で送信される情報から「−ｐｈｏｎｅ」、「−ｅ−ｍａｉｌ」を除いた情報を送信する。なお、前記した情報開示レベルの設定の詳細は、後記する握手モードで説明する。
【００８０】
そして、ステップＳ２６の後は、ステップＳ２６にて取得された個人情報が、図４（ｃ）に示すように、右表示部３５に表示される（ステップＳ２７）。
【００８１】
また、ステップＳ２５において、既に知人テーブル４２に他人ＩＤがあると判断された場合には、ステップＳ２８に進む。
【００８２】
ステップＳ２８では、知人テーブル４２に関連して既に設定されている会合テーブル４３に新たなレコードが追加される。そして、このレコードに、会合データが記録される。また、他人ＩＤと一致する個人テーブルが検索され、この個人テーブルから他人Ｍ２の個人情報が取得される。ここで、この他人Ｍ２の個人情報は、他人Ｍ２の電子名刺交換装置３で適宜設定される情報開示レベルによって、所定の開示範囲に制限されている。さらに、他人ＩＤを含む知人テーブル４２のレコードに関連して既に設定されている会合テーブル４３中の過去の会合データも取得される。
【００８３】
そして、ステップＳ２８の後は、ステップＳ２８にて取得された個人情報や過去の会合データなどが、図１５に示すように、右表示部３５に表示される（ステップＳ２９）。
【００８４】
ここで、図１５において（図４（ｃ）において、図１５と共通する項目についても以下の記載同様。）、「Ｌａｓｔ  ｍｅｅｔｉｎｇ：Ｄａｔｅ：  ２００６／９／１０  １３：００」は、会合テーブル４３に、記録された最新の会合日時データであり、この最新の会合日時データに係るレコードに記録される情報が、「Ｐｌａｃｅ」、「Ｐｕｒｐｏｓｅ」及び「Ｍｅｍｏ（Ｐｕｒｐｏｓｅの下段に表示されたＭｅｍｏ。）」として表示される。また、所定のユーザに対応した個人テーブル４１に関連付けられた別のユーザに係る会合テーブル４３に記録されているレコードを集計した数が、「Ｈｏｗ  ｍａｎｙ  ｔｉｍｅｓ  ｗｅ  ｈａｖｅ  ｅｖｅｒ  ｍｅｔ：１２ｔｉｍｅｓ」として、表示されている。一方、右表示部３５に表示される顔写真と、「Ｎａｍｅ」から「Ｂｉｒｔｈｄａｙ」と、「Ｍｅｍｏ（Ａｇｅの下段に表示されたＭｅｍｏ。）」は、知人情報検索プログラムに基づいて検索された別のユーザに係る個人テーブル４１のレコードに記録された情報に基づき表示される（「Ａｇｅ」については、「Ｂｉｒｔｈｅｄａｙ」と現在日時から算出される。）。さらに、「Ｍｙ  Ｍｅｍｏ」は、知人テーブル４２に記録されるメモ情報に基づき表示される。なお、表示される項目については、適宜選択する構成とすると好適である。
【００８５】
前記したステップＳ２４，Ｓ２７，Ｓ２９の後は、加速度センサ５２による動作確認が行われ（ステップＳ３０）、この動作が名刺登録モードを解除するための動作（以下、「モード解除動作」という。）であるか否かが判断される（ステップＳ３１）。ここで、モード解除動作としては、例えば、右表示部３５に表示された情報を捨てるような動作（上に向いた右表示部３５を下に向ける動作）などを行えばよい。
【００８６】
そして、ステップＳ３１において、モード解除動作ではないと判断された場合には、ステップＳ３０に戻り、モード解除動作であると判断された場合には、この名刺登録モードが終了することとなる。
【００８７】
［握手モード］
図７に示すように、握手モードにおいては、まず、明度センサ５４で検出した明度が所定値以上であるか否かが判断される（ステップＳ４１）。このステップＳ４１において、所定値未満であると判断された場合には、そのまま終了し、所定値以上であると判断された場合には、ステップＳ４２に進む。
【００８８】
ステップＳ４２では、握手動作の回数が３回であるか否かが判断される。そして、このステップＳ４２において、３回であると判断された場合には、情報開示レベルが「高」に設定された後（ステップＳ４３）、ステップ４８に進む。
【００８９】
ステップＳ４２において、３回でないと判断された場合には、今度は、握手動作の回数が２回であるか否かが判断される（ステップＳ４４）。そして、このステップＳ４４において、２回であると判断された場合には、情報開示レベルが「中」に設定された後（ステップＳ４５）、ステップＳ４８に進む。
【００９０】
ステップＳ４４において、２回でないと判断された場合には、情報開示レベルが「低」に設定された後（ステップＳ４６）、ステップＳ４８に進む。
【００９１】
ステップＳ４８では、ユニークなアクセスＩＤが作り出される。そして、このステップＳ４８の後は、本人ＩＤとアクセスＩＤが、第２無線機５０に出力され、Bluetooth（登録商標）によって他人Ｍ２の電子名刺交換装置３に送信される（ステップＳ４９）。
【００９２】
ステップＳ４９の後は、サーバ２との通信が可能か否かが判断される（ステップＳ５０）。そして、このステップＳ５０において、通信不能と判断された場合には、アクセスＩＤと情報開示レベルが不揮発性ＲＡＭ３４のテンポラリ情報開示テーブルに追加される（ステップＳ５１）。
【００９３】
また、ステップＳ５０において、通信可能であると判断された場合には、アクセスＩＤと情報開示レベルが、サーバ２のデータベース上の情報開示レベルテーブル４４に登録される（ステップＳ５２）。
【００９４】
なお、このように情報開示レベルテーブル４４にアクセスＩＤと情報開示レベルが登録された後は、他人Ｍ２が本人Ｍ１の情報を得るために、他人Ｍ２の電子名刺交換装置３からサーバ２にアクセスする際に、本人Ｍ１の情報が情報開示レベルに応じて制限されて開示される。すなわち、サーバ２では、他人Ｍ２の電子名刺交換装置３から本人ＩＤとアクセスＩＤを受信したことを条件として、そのアクセスＩＤから情報開示レベルを情報開示レベルテーブル４４から取得する。そして、このサーバ２は、取得した情報開示レベルに応じた分の情報を、本人ＩＤが記録されている個人テーブル４１のレコード４１Ａから抜き出して、他人Ｍ２の電子名刺交換装置３に提供するようになっている。
【００９５】
また、前記したステップＳ５１，Ｓ５２の後は、ステップＳ４（図５参照）で計測を開始した時間が、所定時間となったか否かが判断されることで、タイムアウトになったか否かが判断される（ステップＳ５３）。そして、ステップＳ５３において、タイムアウトになったと判断された場合には、この握手モードを終了し、タイムアウトになっていないと判断された場合には、ステップＳ５４に進む。
【００９６】
ステップＳ５４では、他人Ｍ２からの情報（他人ＩＤおよびアクセスＩＤ）が第２無線機５０（Bluetooth：登録商標）で受信されたか否かが判断される。そして、このステップＳ５４において、受信していないと判断された場合には、ステップＳ５３に戻り、受信したと判断された場合には、名刺登録モードのステップＳ２２（図６参照）に移行する。
【００９７】
［データ閲覧モード］
図８に示すように、電子名刺交換装置３に軽度の衝撃が加えられる等の動作により実行されるデータ閲覧モードにおいては、まず、赤外線センサ５１によって、現在距離Ｌ（例えば、衝撃が加えられた際、又は、その後所定時間経過後におけるユーザと電子名刺交換装置３との距離。）が測定され、この値Ｌが、ＲＡＭ３３の所定の現在距離メモリ領域に今回距離Ｌ１として記録される（ステップＳ６１）。
【００９８】
このステップＳ６１の後は、ブラウジングモードに移行する（ステップＳ６２）。ここで、ブラウジングモードとは、ユーザが電子名刺交換装置３を自分の体から近づけたり離したりすることで、各表示部３５，３６に表示する情報を順次切り替えながら閲覧するモードをいう。具体的に、本実施形態においては、ユーザが電子名刺交換装置３を自分の体から離す程、過去のデータが閲覧でき、自分の体に近づける程、現在に近いデータを閲覧できるようになっている。なお、このブラウジングモードは、後で詳述することとする。
【００９９】
ブラウジングモードを抜けた後は、加速度センサ５２による動作の検出が行われる（ステップＳ６３）。その後、ステップＳ６３で検出された動作が、詳細画面を表示するための動作か否かが判断される（ステップＳ６４）。ここで、本実施形態においては、詳細画面を表示するための動作として、左表示部３６に表示された星映像をすくう動作を採用している。
【０１００】
ステップＳ６４において、星映像をすくう動作であると判断された場合には、詳細データ閲覧モードに移行し（ステップＳ６５）、すくう動作でないと判断された場合には、ステップＳ６６に進む。ここで、詳細データ閲覧モードとは、ブラウジングモードで閲覧している他のユーザの簡略情報よりも詳細な情報を閲覧することを可能とするモードをいう。なお、この詳細データ閲覧モードは、後で詳述することとする。また、詳細データ閲覧モードを抜けた後は、ステップＳ６２に戻る。
【０１０１】
ステップＳ６６では、ステップＳ６３で検出された動作が、各表示部３５，３６の表示をロックするための動作か否かが判断される。ここで、本実施形態においては、各表示部３５，３６の表示をロックするための動作として、電子名刺交換装置３を上下（縦）に１回振る動作を採用している。
【０１０２】
ステップＳ６６において、振ったと判断された場合には、ロックモードに移行し（ステップＳ６７）、振っていないと判断された場合には、ステップＳ６８に進む。ここで、ロックモードとは、ブラウジングモードで順次表示が切り替えられている各情報の変更を禁止するモードをいう。具体的に、このモードは、例えばユーザが腕を伸ばしきって、それ以上過去の情報を閲覧できなくなったときに、各表示部３５，３６の表示の変更を一旦止めた（ロックした）後、腕を体に近づけてロックを解除し、そこから腕を伸ばしていくことで、さらに過去の情報を見ることを可能とするモードである。なお、ロックモードは、後で詳述することとする。また、ロックモードを抜けた後は、ステップＳ６２に戻る。
【０１０３】
ステップＳ６８では、ステップＳ６３で検出された動作が、キャリブレーションを行うための動作か否かが判断される。ここで、本実施形態においては、キャリブレーションを行うための動作として、電子名刺交換装置３を縦に２回振る動作を採用している。
【０１０４】
ステップＳ６８において、２回振ったと判断された場合には、キャリブレーションモードに移行し（ステップＳ６９）、２回振っていないと判断された場合には、ステップＳ７０に進む。ここで、キャリブレーションモードとは、ユーザの腕の長さと、データ量との調整を行うモードをいう。具体的に、本実施形態においては、データを時間で管理しているので、ユーザが腕を伸ばしきったときの電子名刺交換装置３の位置で最古のデータを表示させ、ユーザ側に電子名刺交換装置３を最大限近づけた位置（予め設定される最小距離Ｌｍｉｎ）で最新のデータを表示するような調整が行われる。なお、キャリブレーションモードは、後で詳述することとする。また、キャリブレーションモードを抜けた後は、ステップＳ６２に戻る。
【０１０５】
ステップＳ７０では、ステップＳ６３で検出された動作が、データ閲覧モードを解除する（抜ける）ための動作か否かが判断される。ここで、本実施形態においては、データ閲覧モードを抜けるための動作として、左表示部３６に表示された星映像を捨てる動作（上に向いた左表示部３６を下に向ける動作）を採用している。そして、このステップＳ７０において、捨てる動作が行われていないと判断された場合には、ステップＳ６２に戻り、捨てる動作が行われたと判断された場合には、このデータ閲覧モードが終了する。
【０１０６】
<ブラウジングモード>
図９に示すように、ブラウジングモードにおいて、ステップＳ６１で測定された今回距離Ｌ１に対応する位置から電子名刺管理装置３の移動が検出された場合、この移動後の位置に対応する距離を測定するとともに、今回距離メモリ領域に記録してある今回距離Ｌ１が、ＲＡＭ３３の前回距離メモリ領域に前回距離Ｌ２として記録される（ステップＳ７１）。また、測定された現在距離Ｌが、今回距離メモリ領域に今回距離Ｌ１として記録される（ステップＳ７２）。ここで、検出した現在距離Ｌが、予め設定される最小距離Ｌｍｉｎよりも小さい場合には、今回距離メモリ領域に、現在距離Ｌに代えて最小距離Ｌｍｉｎが今回距離Ｌ１として記録される。
【０１０７】
ステップＳ７２の後は、ＲＡＭ３３の所定のメモリ領域に記録される検索パラメータＶＴの更新が行われる（ステップＳ７３）。検索パラメータＶＴは、所定の会合日時データを検索するためのパラメータであり、以下の演算式によって算出される。
【０１０８】
ＶＴ  ＝  ＶＴ’  ＋  α                  ・・・（１）
α    ＝  Ｃ  ×  （  Ｌ１  −  Ｌ２  ）  ・・・（２）
(ＶＴ’：検索パラメータ前回値、α：表示切替用パラメータ、Ｃ：換算係数)
【０１０９】
すなわち、ステップＳ７３では、式（１）に示すように、検索パラメータ前回値ＶＴ’に、所定の表示切替用パラメータαを加算することで、検索パラメータＶＴが算出される。また、式（２）に示すように、表示切替用パラメータαは、今回距離Ｌ１と前回距離Ｌ２との差に、所定の換算係数Ｃを乗算することで算出される。なお、換算係数Ｃは、後述するキャリブレーションモードの実行中に適宜決定される。
【０１１０】
ステップＳ７３の後は、会合日時（dateAndTime）が検索パラメータＶＴ以前である会合日時データを、サーバ２の会合テーブル４３の中から検索する（ステップＳ７４）。なお、この検索に際し、１つの会合テーブル４３の中に会合日時データが複数存在する場合には、最新のデータから順に検索していき、該当するデータがあった時点で、別の会合テーブルの検索に移るようにしてもよい。このように構成すると、ブラウジング中に同じ人が何回も出てくることを防止することができる。
【０１１１】
ステップＳ７４において、検索パラメータＶＴ以前の会合日時データが複数検索されると、検索された（条件に該当した）各会合日時データに対応するように、不揮発性ＲＡＭ３４から星画像が順次読み出されて、これらの星画像が左表示部３６に表示される（ステップＳ７５）。ここで、星画像は、会合日時データと検索パラメータＶＴとの差が小さい程大きく表示され、差が大きい程小さく表示されるようになっている（図４（ｂ）参照）。
【０１１２】
ステップＳ７５の後は、検索パラメータＶＴが示す日時と、その２日前の日時との間に存在する会合日時データをサーバ２の会合テーブル４３の中から検索して（ステップＳ７６）、ステップＳ７７に進む。すなわち、ＶＴから（ＶＴ−２日）までの間の会合日時データを検索する。
【０１１３】
ステップＳ７７では、ＶＴから（ＶＴ−２日）までの間に会合日時データが一個も存在しないか否かが判断される。このステップＳ７７において、会合日時データが存在すると判断された場合には、該当した会合日時データに対応する他人の簡略データ（例えば氏名、所属会社名等）が右表示部３５に表示される（ステップＳ７８；図４（ｂ）参照）。そして、このステップＳ７８の後や、ステップＳ７７において会合日時データが一個も存在しないと判断された場合には、ブラウジングモードが終了する。なお、ステップＳ７７において、その判断が肯定された場合（ステップＳ７７：Ｙｅｓ）、右表示部３５には、いずれの簡略データも表示されない。そのため、検索に用いられた検索パラメータＶＴ、すなわち、ユーザを基準として電子名刺交換装置３が存在する位置によって示される日時には、いずれの相手とも会合していなかったということを、把握することができる。
【０１１４】
<詳細データ閲覧モード>
図１０に示すように、詳細データ閲覧モードにおいては、まず、右表示部３５に現在表示されているユーザの簡略情報が、サーバ２から取得する詳細情報（個人テーブル４１の情報等）に置き換えられて表示される（ステップＳ８１；簡略情報については図４（ｂ），詳細情報については（ｃ）又は図１５参照）。
【０１１５】
ステップＳ８１の後は、加速度センサ５２による動作の検出が行われる（ステップＳ８２）。その後、ステップＳ８２で検出された動作が、この詳細データ閲覧モードを解除するための動作か否かが判断される（ステップＳ８３）。ここで、本実施形態においては、詳細データ閲覧モードを解除するための動作として、左表示部３６に表示された星映像を捨てる動作（上に向いた左表示部３６を下に向ける動作）を採用している。
【０１１６】
ステップＳ８３において、星映像を捨てる動作でないと判断された場合には、ステップＳ８２に戻り、星映像を捨てる動作であると判断された場合には、この詳細データ閲覧モードが終了する。すなわち、星映像を捨てる動作がされない限り、右表示部３５には詳細情報が表示され続ける。
【０１１７】
<ロックモード>
図１１に示すように、ロックモードにおいては、まず、加速度センサ５２による動作の検出が行われる（ステップＳ９１）。その後、ステップＳ９１で検出された動作が、このロックモードを解除するための動作か否かが判断される（ステップＳ９２）。ここで、本実施形態においては、ロックモードを解除するための動作として、左表示部３６に表示された星映像を捨てる動作を採用している。
【０１１８】
ステップＳ９２において、星映像を捨てる動作でないと判断された場合には、ステップＳ９１に戻って、再度ステップＳ９１，Ｓ９２の処理が繰り返される。すなわち、星映像を捨てる動作がされない限り、ロックモードに滞在し続けてブラウジングモードに移行することがないので、この間に電子名刺交換装置３を前後に動かしても各表示部３５，３６の表示が変更されることはない。
【０１１９】
ステップＳ９２において、星映像を捨てる動作であると判断された場合には、赤外線センサ５１によって、現在距離Ｌが測定され、この値Ｌが、今回距離メモリ領域に今回距離Ｌ１として記録される（ステップＳ９３）。そして、このステップＳ９３の後、ロックモードが終了する。
【０１２０】
<キャリブレーションモード>
図１２に示すように、キャリブレーションモードにおいては、まず、サーバ２の各会合テーブル４３に記録された複数の会合日時データの中から最も古い（過去の）会合日時データが取得され、この会合日時データが検索パラメータＶＴの最小値ＶＴｍｉｎとして設定される（ステップＳ１０１）。
【０１２１】
ステップＳ１０１の後は、ＲＴＣ３７で現在時刻Ｔが計測され、この値Ｔが今回時刻メモリ領域に今回時刻Ｔ１として記録される（ステップＳ１０２）。ステップＳ１０２の後は、赤外線センサ５１で現在距離Ｌが計測され、この値Ｌが今回距離メモリ領域に今回距離Ｌ１として記録される（ステップＳ１０３）。なお、キャリブレーションモードに入るときには、通常、ユーザが自分の腕を最大限伸ばした状態にしておくので、前記した現在距離Ｌはユーザの腕の長さに相当している。
【０１２２】
そして、ステップＳ１０３の後は、換算係数Ｃの更新が行われる（ステップＳ１０４）。具体的には、以下の演算式によって、換算係数Ｃの更新が行われる。
Ｃ  ＝  （Ｔ１  −  ＶＴｍｉｎ  ）  ／  （  Ｌ１  −  Ｌｍｉｎ  ）・・・（３）
【０１２３】
ステップＳ１０４の後は、加速度センサ５２による動作の検出が行われる（ステップＳ１０５）。その後、ステップＳ１０５で検出された動作が、このキャリブレーションモードを解除するための動作か否かが判断される（ステップＳ１０６）。ここで、本実施形態においては、キャリブレーションモードを解除するための動作として、左表示部３６に表示された星映像を捨てる動作を採用している。
【０１２４】
ステップＳ１０６において、星映像を捨てる動作でないと判断された場合には、ステップＳ１０３に戻り、星映像を捨てる動作であると判断された場合には、このキャリブレーションモードが終了する。
【０１２５】
［セキュリティロック登録モード］
図１３に示すように、セキュリティロック登録モードにおいては、まず、加速度センサ５２による動作の検出が行われる（ステップＳ１１１）。その後、このような動作の検出がなされたか否かが判断されることで、無動作であるか否かが判断される（ステップＳ１１２）。
【０１２６】
ステップＳ１１２において、無動作であると判断された場合には、ステップＳ１１１に戻って、動作が入力されるまでステップＳ１１１，Ｓ１１２が繰り返される。また、ステップＳ１１２において、無動作でないと判断された場合には、時間の計測が開始されて（ステップＳ１１３）、ステップＳ１１４に進む
【０１２７】
ステップＳ１１４では、ステップＳ１１４で計測が開始された時間が、所定時間となったか否かを判断することで、タイムアウトになったか否かが判断される。そして、このステップＳ１１４において、タイムアウトになったと判断された場合には、このセキュリティロック登録モードが終了し、タイムアウトにはなっていないと判断された場合には、ステップＳ１１５に進む。
【０１２８】
ステップＳ１１５では、再度加速度センサ５２による動作の検出が行われる。その後、動作中であるか否かが判断され（ステップＳ１１６）、動作中でないと判断された場合には、ステップＳ１１４に戻る。また、ステップＳ１１６において、動作中であると判断された場合には、その動作（位置・到達時間）が暗号情報として不揮発性ＲＡＭ３４に記録される（Ｓ１１７）。そして、このステップＳ１１７の後は、タイマがリスタートされ、すなわち、時間の計測が最初からやり直されて（ステップＳ１１８）、ステップＳ１１４に戻ることとなる。そして、このようなステップＳ１１４〜Ｓ１１８を繰り返すことによって、不揮発性ＲＡＭ３４に複数組の位置・到達時間が記録されることとなる。
【０１２９】
［テンポラリテーブルアップデートモード］
図１４に示すように、テンポラリテーブルアップデートモードにおいては、まず、サーバ２との通信が可能か否かが判断される（ステップＳ１２１）。そして、このステップＳ１２１において、通信不能と判断された場合には、このテンポラリテーブルアップデートモードが終了し、通信可能と判断された場合には、ステップＳ１２２に進む。
【０１３０】
ステップＳ１２２では、不揮発性ＲＡＭ３４上に設定されたテンポラリ知人テーブルにデータがあるか否かが判断される。そして、このステップＳ１２２において、データがあると判断された場合には、テンポラリ知人テーブルの最初の一件の情報を読み出す（ステップＳ１２３）。
【０１３１】
ステップＳ１２３の後は、読み出した情報のうちの他人ＩＤが、既にサーバ２側の知人テーブル４２にあるか否かが判断される（ステップＳ１２４）。このステップＳ１２４において、知人テーブル４２に他人ＩＤがないと判断された場合には、ステップＳ１２５に進む。
【０１３２】
ステップＳ１２５では、本人Ｍ１の個人テーブル４１に関連して既に設定されている知人テーブル４２に新たなレコードが追加されるとともに、このレコードに関連するように新たな会合テーブル４３が作成される。そして、知人テーブル４２の新たなレコードに、他人ＩＤが記録されるとともに、新たな会合テーブル４３に、ＲＴＣ３７とＧＰＳセンサ３８からの情報に基づいて生成される会合データ（日時、場所）が、最初のレコードとして記録される。
【０１３３】
また、ステップＳ１２４において、既に知人テーブル４２に他人ＩＤがあると判断された場合には、ステップＳ１２６に進む。
【０１３４】
ステップＳ１２６では、知人テーブル４２に関連して既に設定されている会合テーブル４３に新たなレコードが追加される。そして、このレコードに、会合データが記録される。
【０１３５】
前記したステップＳ１２５，Ｓ１２６の後は、テンポラリ知人テーブルの最初の一件の情報が削除されて（ステップＳ１２７）、ステップＳ１２２に戻る。そして、ステップＳ１２２〜ステップＳ１２７を、テンポラリ知人テーブルに記録された残りの情報の件数分繰り返した後は、ステップＳ１２２で「Ｎｏ」と判断されて、ステップＳ１２８に進む。
【０１３６】
ステップＳ１２８では、不揮発性ＲＡＭ３４上に設定されたテンポラリ情報開示テーブルにデータがあるか否かが判断される。そして、このステップＳ１２８において、データがあると判断された場合には、テンポラリ情報開示テーブルの最初の一件の情報（アクセスＩＤと情報開示レベル）を読み出した後（ステップＳ１２９）、ステップＳ１３０に進む。
【０１３７】
ステップＳ１３０では、サーバ２側の情報開示レベルテーブル４４に新たなレコードが追加される。そして、このレコードに、テンポラリ情報開示テーブルから読み出したアクセスＩＤおよび情報開示レベルが記録される。
【０１３８】
ステップＳ１３０の後は、テンポラリ情報開示テーブルの最初の一件の情報が削除されて（ステップＳ１３１）、ステップＳ１２８に戻る。そして、ステップＳ１２８〜ステップＳ１３１を、テンポラリ情報開示テーブルに記録された残りの情報の件数分繰り返した後は、ステップＳ１２８で「Ｎｏ」と判断されて、このテンポラリテーブルアップデートモードが終了する。
【０１３９】
以上によれば、本実施形態において以下のような効果を得ることができる。
複数の会合日時データを複数のレコードＡ１１，Ａ１２，Ａ１３，…として記録可能な会合テーブル４３を設けたので、本人Ｍ１が既に会ったことがある相手（他人Ｍ２）には、レコードの数を数えることで過去に何回会ったことがあるかを知ることができる。さらに、本人Ｍ１は、各レコードに記録された各会合日時データを参照することで、その他人Ｍ２と初めて会った日時や、初めて会ってからどの程度の周期で会っていたのかなどをも知ることができる。
【０１４０】
会合テーブル４３の各レコードに、会合場所データも記録されるので、本人Ｍ１が他人Ｍ２にどこで会ったのかを知ることができる。
知人テーブル４２および会合テーブル４３の各レコードにメモ情報を記録しておくことができるので、本人Ｍ１が他人Ｍ２と再開した際には、各テーブル４２，４３に記録したメモ情報を参照することで、会議をスムーズに、かつ、有意義に進めることができる。また、メモ情報が会合テーブル４３の各レコードに記録されるので、メモ情報として会合ごとにおける重要なコメントなどを残しておくことができる。さらに、会合テーブル４３のレコードは順次追加されていく構造となっているので、他人Ｍ２に関する情報を大量に記録することができる。
【０１４１】
電子名刺交換装置３のＣＰＵ３１が、動作情報と明度が所定の条件を満たしたことを条件として、ユーザＩＤの交換を行うので、ユーザは所定の明るさの環境下で電子名刺交換装置３を所定の動きで動かすだけで、簡単に相手とユーザＩＤの交換ができる。さらに、ユーザが、所定の明るさの環境下で、かつ、電子名刺交換装置３を所定の動作で動かさなければ、ユーザＩＤの交換がなされないので、勝手に情報交換が行われるような誤作動を抑制して、確実な情報交換が実現される。
【０１４２】
また、本人Ｍ１の電子名刺交換装置３から他人ＩＤが送信された場合には、サーバ２が個人テーブル４１、知人テーブル４２および会合テーブル４３の中から他人Ｍ２に関する詳細情報を検索して電子名刺交換装置３に提供するので、本人Ｍ１は、そのような詳細情報を元に他人Ｍ２に対して話しをスムーズ進めることが可能となる。
【０１４３】
ユーザの任意の動作を暗号情報として不揮発性ＲＡＭ３４に記憶させることができ、電子名刺交換装置３の操作の禁止を解除したいときには、その動作を再現するだけで簡単に禁止を解除することができる。また、ユーザの動作を暗号情報とすることにより、指紋や声紋などのように指を怪我した場合や風邪を引いた場合に本人認証できなくなるケースは極めて低くなるので、確実に本人認証を行うことができる。
【０１４４】
ユーザが電子名刺交換装置３を持ちながら握手の動作を所定回数行うことで、名刺情報の開示範囲が選択されるので、ユーザは咄嗟の判断で各相手に応じて名刺情報の開示範囲を自由に変えることができる。
【０１４５】
握手の回数が多いほど、名刺情報の開示範囲を広げていくようにすることで、現実の握手に相当した動作となるので、ユーザが開示範囲を広げる動作や狭める動作を忘れ難い。つまり、一般的に信頼した相手になるほど握手の回数が増えることから、現実の握手の動作と信頼度との関係に一致することとなるので、ユーザが開示範囲を選択する動作を忘れ難くなるといった効果を得られる。
【０１４６】
ユーザが電子名刺交換装置３を自分の体から近づけたり離したりするだけで、系列情報が変化するので、ユーザは小型化された電子名刺交換装置３であっても、系列情報を簡単な操作で閲覧することができる。また、表示可変プログラムによって、距離情報が大きくなるほど、過去の時間に対応する系列情報がサーバ２から取得されるので、時間と距離との関係を人間の感覚に即した関係（遠い過去、近い将来というような関係）とすることができる。そのため、ユーザが操作方法を忘れ難いといった効果が得られる。
【０１４７】
右表示部３５に出力される系列情報の各情報に対応した星画像が左表示部３６に出力されるので、ユーザは星画像を参考にしながら、各情報を閲覧することができる。また、星画像が、過去の情報を表すものになるほど小さく表示されるので、ユーザは遠くの星に標準を合わせるように、電子名刺交換装置３を動かすことで、過去の知人を検索できるので、ユーザが電子名刺交換装置３の操作を楽しみながら閲覧していくことができる。
【０１４８】
星画像をすくう動作を行うことで詳細情報を閲覧することができるので、ユーザは、小型化された電子名刺交換装置３であっても、星画像をすくうといった簡単な動作をするだけで、詳細情報を簡単に閲覧することが可能となる。
【０１４９】
ロックモードを利用することで各表示部３５，３６の画像の変化を停止・再開することができるので、例えば腕を最大に伸ばした状態で画像の変化を一旦止めて、体の近くまで電子名刺交換装置３を移動させてからロックモードを解除して再度電子名刺交換装置３を体から遠ざけることで、ユーザの腕の長さに対して系列情報の量が多い場合であっても、全ての情報をユーザが閲覧することができる。
【０１５０】
なお、本発明は前記実施形態に限定されることなく、以下に例示するように様々な形態で利用できる。
前記実施形態では、携帯端末として電子名刺交換装置３を採用したが、本発明はこれに限定されず、例えば携帯電話や携帯用パソコンなどであってもよい。
【０１５１】
前記実施形態における加速度センサ５２で検出する動作は、一次元、二次元、三次元の動作のいずれであってもよい。
【図面の簡単な説明】
【０１５２】
【図１】本発明の一実施形態に係る名刺情報管理システムを示す説明図である。
【図２】サーバのハードディスクに記憶される各テーブルを示す説明図である。
【図３】電子名刺交換装置の構成を示す構成図である。
【図４】電子名刺交換装置の各表示部の表示を示す図であり、通常における時刻表示を示す図（ａ）と、ブラウジングモード時における星画像と簡略データの表示を示す図（ｂ）と、詳細データ閲覧モード時における詳細情報の表示を示す図（ｃ）である。
【図５】メインフローの処理を示すフローチャートである。
【図６】名刺登録モードの処理を示すフローチャートである。
【図７】握手モードの処理を示すフローチャートである。
【図８】データ閲覧モードの処理を示すフローチャートである。
【図９】ブラウジングモードの処理を示すフローチャートである。
【図１０】詳細データ閲覧モードの処理を示すフローチャートである。
【図１１】ロックモードの処理を示すフローチャートである。
【図１２】キャリブレーションモードの処理を示すフローチャートである。
【図１３】セキュリティロック登録モードの処理を示すフローチャートである。
【図１４】テンポラリテーブルアップデートモードの処理を示すフローチャートである。
【図１５】ステップＳ２８で取得された個人情報や過去の会合データ等が右表示部に表示された状態を示す説明図である。
【符号の説明】
【０１５３】
１      名刺情報管理システム
２      サーバ
３      電子名刺交換装置（携帯端末）
４      ハードディスク（記憶装置）
２０    第１無線機
２１    ＣＰＵ
２２    メモリ
３１    ＣＰＵ
３２    ＲＯＭ
３３    ＲＡＭ
３４    不揮発性ＲＡＭ
３５    右表示部
３６    左表示部
３７    ＲＴＣ
３８    ＧＰＳセンサ
３９    第１無線機
４１    個人テーブル
４１Ａ  レコード
４２    知人テーブル
４３    会合テーブル
４４    情報開示レベルテーブル
４４Ａ  レコード
５０    第２無線機
５１    赤外線センサ
５２    加速度センサ
５３    ＲＦリーダ
５４    明度センサ
Ａ１    レコード
Ａ１１  レコード
【図１】
2008090549.tif 000003
【図２】
2008090549.tif 000004
【図３】
2008090549.tif 000005
【図４】
2008090549.tif 000006
【図５】
2008090549.tif 000007
【図６】
2008090549.tif 000008
【図７】
2008090549.tif 000009
【図８】
2008090549.tif 000010
【図９】
2008090549.tif 000011
【図１０】
2008090549.tif 000012
【図１１】
2008090549.tif 000013
【図１２】
2008090549.tif 000014
【図１３】
2008090549.tif 000015
【図１４】
2008090549.tif 000016
【図１５】
2008090549.tif 000017